(57)【要約】【課題】投射レンズユニットの種類に対応した制御動作を実行する。【解決手段】投射レンズユニット３００に接続され、投射レンズユニット３００を通じて画像光を投射する投射部１１３と、投射部１１３に接続された投射レンズユニット３００の種類を検出する検出部１２４と、投射レンズユニット３００の種類に対応して、プロジェクターが実行する投射レンズユニットに対する制御動作を記憶する記憶部２０７と、プロジェクター１００が実行可能な制御動作のうち、判定された投射レンズユニット３００に対応付けて記憶部２０７に記憶された制御動作以外の少なくとも一部の制御動作を停止状態に設定する電源制御部２５３と、を備えることを特徴とするプロジェクター１００。【選択図】図１
2017181538.tif 000002
【特許請求の範囲】
【請求項１】
プロジェクターであって、
投射レンズユニットに接続され、前記投射レンズユニットを通じて画像光を投射する投射部と、
前記投射部に接続された前記投射レンズユニットの種類を判定する判定部と、
前記投射レンズユニットの種類に対応して、前記プロジェクターが実行する前記投射レンズユニットに対する制御動作を記憶する記憶部と、
前記プロジェクターが実行可能な前記制御動作のうち、前記判定部により判定された前記投射レンズユニットに対応付けて前記記憶部に記憶された前記制御動作以外の少なくとも一部の前記制御動作を停止状態に設定する制御部と、
を備えることを特徴とするプロジェクター。
【請求項２】
前記制御動作毎に、前記制御動作を実行する駆動回路を有し、
前記制御部は、前記判定部により判定された前記投射レンズユニットに対応付けて前記記憶部に記憶された前記制御動作以外の少なくとも一部の前記制御動作に対応する前記駆動回路への電源供給を停止させる、
ことを特徴とする請求項１記載のプロジェクター。
【請求項３】
前記投射レンズユニットは、前記プロジェクターの制御により動作する動作部を備え、
前記投射部は、前記投射レンズユニットの前記動作部に前記駆動回路を接続する第１接続部を備え、
前記駆動回路は、前記第１接続部を介して前記投射レンズユニットの前記動作部に駆動信号又は駆動電流の少なくともいずれか一方を供給する、
ことを特徴とする請求項２記載のプロジェクター。
【請求項４】
前記投射レンズユニットは、前記第１接続部に接続する第２接続部を備え、
前記第１接続部は、接地接点と信号接点とを備える第１コネクターを備え、
前記第２接続部は、接地接点と信号接点とを備える第２コネクターを備え、
前記第１コネクターと前記第２コネクターとが接続される場合に、前記接地接点が前記信号接点よりも先に導通される、ことを特徴とする請求項３記載のプロジェクター。
【請求項５】
前記第１接続部は、複数のコネクターを備え、
前記判定部は、前記複数のコネクターのいずれかに前記投射レンズユニットが接続された場合に、前記投射レンズユニットの種類を判定することを特徴とする請求項３記載のプロジェクター。
【請求項６】
操作を受け付ける操作受付部を備え、
前記制御部は、前記判定部により前記投射レンズユニットの種類が判定できない場合に、前記操作受付部により、前記投射レンズユニットの種類の情報の入力を受け付ける、ことを特徴とする請求項１から５のいずれかに記載のプロジェクター。
【請求項７】
前記投射レンズユニットは、前記投射レンズユニットの種類を示す識別情報を記録する記録部を備え、
前記判定部は、前記記録部が記録する識別情報を読み出して、前記投射レンズユニットの種類を判定する、ことを特徴とする請求項１から６のいずれかに記載のプロジェクター。
【請求項８】
投射レンズユニットに接続され、前記投射レンズユニットを通じて画像光を投射する投射部を備えるプロジェクターの制御方法であって、
前記投射部に接続された前記投射レンズユニットの種類を判定するステップと、
前記投射レンズユニットの種類に対応して、前記プロジェクターが実行する前記投射レンズユニットに対する制御動作を記憶する記憶部を参照して、前記プロジェクターが実行可能な前記制御動作のうち、前記判定するステップにより判定された前記投射レンズユニットに対応付けて前記記憶部に記憶された前記制御動作以外の少なくとも一部の前記制御動作を停止状態に設定するステップと、
を有することを特徴とするプロジェクターの制御方法。
【発明の詳細な説明】
【技術分野】
【０００１】
本発明は、プロジェクター、及び、プロジェクターの制御方法に関する。
【背景技術】
【０００２】
従来、投射レンズユニットの交換が可能なプロジェクターにおいて、交換された投射レンズユニットに対応したパラメーターを用いて画像処理を行う技術が知られている（例えば、特許文献１参照）。
特許文献１は、交換された投射レンズに応じてシャープネス調整に用いられるパラメーターを切り替えて画像処理を行う技術を開示する。
【先行技術文献】
【特許文献】
【０００３】
【特許文献１】特開２００５−３０１３１７号公報
【発明の概要】
【発明が解決しようとする課題】
【０００４】
ところで、プロジェクターに複数種類の投射レンズユニットを交換可能に搭載可能な場合、搭載された投射レンズユニットの種類によってプロジェクターが実行可能な制御動作が異なる。このため、無駄な制御動作を避けるためには、投射レンズユニットの種類に対応した制御動作を行うように設定する必要があった。
本発明は上記事情に鑑みてなされたものであり、投射レンズユニットの種類に対応した制御動作を実行できるプロジェクター、及び、プロジェクターの制御方法を提供することを目的とする。
【課題を解決するための手段】
【０００５】
かかる目的を達成するために、本発明のプロジェクターは、プロジェクターであって、投射レンズユニットに接続され、前記投射レンズユニットを通じて画像光を投射する投射部と、前記投射部に接続された前記投射レンズユニットの種類を判定する判定部と、前記投射レンズユニットの種類に対応して、前記プロジェクターが実行する前記投射レンズユニットに対する制御動作を記憶する記憶部と、前記プロジェクターが実行可能な前記制御動作のうち、前記判定部により判定された前記投射レンズユニットに対応付けて前記記憶部に記憶された前記制御動作以外の少なくとも一部の前記制御動作を停止状態に設定する制御部と、を備えることを特徴とする。
本発明によれば、投射レンズユニットの種類に対応した制御動作以外の少なくとも一部の制御動作が停止状態に設定される。このため、投射レンズユニットの種類に対応した制御動作を実行することができる。
【０００６】
また、本発明は、上記プロジェクターにおいて、前記制御動作毎に、前記制御動作を実行する駆動回路を有し、前記制御部は、前記判定部により判定された前記投射レンズユニットに対応付けて前記記憶部に記憶された前記制御動作以外の少なくとも一部の前記制御動作に対応する前記駆動回路への電源供給を停止させることを特徴とする。
本発明によれば、投射レンズユニットの種類に対応した制御動作以外の少なくとも一部の制御動作に対応する駆動回路への電源供給が停止される。従って、消費電力を削減することができる。
【０００７】
また、本発明は、上記プロジェクターにおいて、前記投射レンズユニットは、前記プロジェクターの制御により動作する動作部を備え、前記投射部は、前記投射レンズユニットの前記動作部に前記駆動回路を接続する第１接続部を備え、前記駆動回路は、前記第１接続部を介して前記投射レンズユニットの前記動作部に駆動信号又は駆動電流の少なくともいずれか一方を供給することを特徴とする。
本発明によれば、駆動回路は、第１接続部を介して接続された投射レンズユニットの動作部に駆動信号又は駆動電流を供給して、動作部を動作させることができる。
【０００８】
また、本発明は、上記プロジェクターにおいて、前記投射レンズユニットは、前記第１接続部に接続する第２接続部を備え、前記第１接続部は、接地接点と信号接点とを備える第１コネクターを備え、前記第２接続部は、接地接点と信号接点とを備える第２コネクターを備え、前記第１コネクターと前記第２コネクターとが接続される場合に、前記接地接点が前記信号接点よりも先に導通されることを特徴とする。
本発明によれば、第１コネクターと第２コネクターとの接地接点が信号接点よりも先に導通される。従って、静電気やノイズ等の影響を受けにくいコネクターの構造とすることができる。
【０００９】
また、本発明は、上記プロジェクターにおいて、前記第１接続部は、複数のコネクターを備え、前記判定部は、前記複数のコネクターのいずれかに前記投射レンズユニットが接続された場合に、前記投射レンズユニットの種類を判定することを特徴とする。
本発明によれば、第１接続部が備える複数のコネクターのいずれかに投射レンズユニットが接続された場合に、投射レンズユニットの種類を判定する。従って、複数のコネクターのいずれに投射レンズユニットが接続されても、投射レンズユニットの種類を判定する動作を行うことができる。
【００１０】
また、本発明は、上記プロジェクターにおいて、操作を受け付ける操作受付部を備え、前記制御部は、前記判定部により前記投射レンズユニットの種類が判定できない場合に、前記操作受付部により、前記投射レンズユニットの種類の情報の入力を受け付けることを特徴とする。
本発明によれば、投射レンズユニットの種類が判定できない場合に、操作受付部により、投射レンズユニットの種類の情報を受け付けることができる。
【００１１】
また、本発明は、上記プロジェクターにおいて、前記投射レンズユニットは、前記投射レンズユニットの種類を示す識別情報を記録する記録部を備え、前記判定部は、前記記録部が記録する識別情報を読み出して、前記投射レンズユニットの種類を判定することを特徴とする。
本発明によれば、簡易な構成で、投射レンズユニットの種類を判定することができる。
【００１２】
本発明のプロジェクターの制御方法は、投射レンズユニットに接続され、前記投射レンズユニットを通じて画像光を投射する投射部を備えるプロジェクターの制御方法であって、前記投射部に接続された前記投射レンズユニットの種類を判定するステップと、前記投射レンズユニットの種類に対応して、前記プロジェクターが実行する前記投射レンズユニットに対する制御動作を記憶する記憶部を参照して、前記プロジェクターが実行可能な前記制御動作のうち、前記判定するステップにより判定された前記投射レンズユニットに対応付けて前記記憶部に記憶された前記制御動作以外の少なくとも一部の前記制御動作を停止状態に設定するステップと、を有することを特徴とする。
本発明によれば、投射レンズユニットの種類に対応した制御動作以外の少なくとも一部の制御動作が停止状態に設定される。このため、投射レンズユニットの種類に対応した制御動作を実行することができる。
【図面の簡単な説明】
【００１３】
【図１】プロジェクターの構成を示す機能ブロック図。
【図２】レンズ種類登録テーブルの構成を示す図。
【図３】プロジェクターのハードウェア構成を示す図。
【図４】メイン回路の構成を示すブロック図。
【図５】投射部駆動回路及び投射部の構成を示すブロック図。
【図６】投射レンズユニットを接続する接続部を示す図。
【図７】コネクターの形状を示す図。
【図８】プロジェクターの動作を示すフローチャート。
【発明を実施するための形態】
【００１４】
以下、図面を参照して本発明の実施形態について説明する。
図１は、プロジェクター１００の構成を示す機能ブロック図である。
プロジェクター１００は、パーソナルコンピューターや各種映像プレーヤー等の外部の画像供給装置５００に接続され、この画像供給装置５００から供給される画像信号に基づく画像を投射対象に投射する。
画像供給装置５００には、例えば、ビデオ再生装置や、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。また、投射対象は、建物の外壁等の一様に平らではない物体であってもよいし、スクリーン等の一様に平らではない物体であってもよい。図１には、投射対象としてスクリーンＳＣを示す。
【００１５】
プロジェクター１００は、画像供給装置５００に接続するインターフェースとして、インターフェース部（以下、インターフェースをＩ／Ｆと略記する）２０１を備える。
Ｉ／Ｆ部２０１は、ケーブルを接続するコネクター及びＩ／Ｆ回路（いずれも図示略）を備え、ケーブルを介して接続された画像供給装置５００から供給される画像信号を入力する。Ｉ／Ｆ部２０１は、入力される画像信号を画像データに変換して画像処理部２０３に出力する。
【００１６】
Ｉ／Ｆ部２０１が備えるインターフェースは、例えば、Ｅｔｈｅｒｎｅｔ（登録商標）、ＩＥＥＥ１３９４、ＵＳＢ、ＲＳ−２３２Ｃ等のデータ通信用のインターフェースであってもよい。また、Ｉ／Ｆ部２０１のインターフェースは、ＭＨＬ（登録商標）、ＨＤＭＩ（登録商標）、ＤｉｓｐｌａｙＰｏｒｔ等の画像データ用のインターフェースであってもよい。
また、Ｉ／Ｆ部２０１は、コネクターとして、アナログ画像信号が入力されるＶＧＡ端子や、デジタル画像データが入力されるＤＶＩ（Digital Visual Interface）端子を備える構成であってもよい。さらに、Ｉ／Ｆ部２０１は、Ａ／Ｄ変換回路を備え、ＶＧＡ端子を介してアナログ画像信号が入力された場合に、Ａ／Ｄ変換回路によりアナログ画像信号を画像データに変換して画像処理部２０３に出力する構成であってもよい。
【００１７】
プロジェクター１００は、大きく分けて光学的な画像の形成を行う表示部１１０と、表示部１１０により表示される画像を電気的に処理する画像処理系とを備える。まず、表示部１１０について説明する。表示部１１０は、光源部１１１、光変調装置１１２及び投射部１１３を備える。
【００１８】
光源部１１１は、光源（図示略）を備える。光源には、キセノンランプ、超高圧水銀ランプ、ＬＥＤ（Light Emitting Diode）、レーザー光源等の高輝度な光源が用いられる。また、光源部１１１は、光源が発した光を光変調装置１１２に導くリフレクター及び補助リフレクターを備えていてもよく、投射光の光学特性を高めるためのレンズ群（図示略）や偏光板を備えていてもよい。
光源部１１１には、光源駆動回路１２１が接続される。光源駆動回路１２１は、内部バス１８０に接続され、後述する制御部２５０の制御に従って、光源部１１１への電源供給を制御し、光源部１１１の光源を点灯及び消灯させる。
【００１９】
光源部１１１から射出された光は、ダイクロイックミラー（図示略）等の光学系によって光の３原色であるＲ，Ｇ，Ｂの各色成分に分離され、光変調装置１１２に入射される。
【００２０】
光変調装置１１２は、Ｒ，Ｇ，Ｂの各色成分に対応した３つの液晶パネル（いずれも図示略）を備える。これら３つの液晶パネルは、一対の透明基板間に液晶が封入された構成をそれぞれに有している。各液晶パネルは、複数の画素（図示略）がマトリックス状に配列された矩形の画素領域を備えており、画素毎に駆動電圧を印加可能になっている。
【００２１】
光変調装置１１２には、液晶パネルのそれぞれを駆動する光変調装置駆動回路１２２が接続される。光変調装置駆動回路１２２は、内部バス１８０に接続される。
光変調装置駆動回路１２２には、後述する画像処理部２０３からＲ、Ｇ、Ｂの３原色に分離された画像データが入力される。光変調装置駆動回路１２２は、入力される各色の画像データを、対応する液晶パネルの動作に適したデータ信号に変換する。光変調装置駆動回路１２２は、変換したデータ信号に応じた駆動電圧を対応する影響パネルの各画素に印加し、各液晶パネルに画像を描画する。これにより、光源部１１１から射出される光が、画像データに応じた画像光に変調される。
【００２２】
投射部１１３は、投射レンズユニット３００を備える。投射レンズユニット３００には、ズームレンズやフォーカスレンズを有する投射レンズ３６０（図５参照）が設けられる。投射部１１３には、後述する投射部駆動回路１２３が接続され、投射部駆動回路１２３によって駆動されて投射レンズ３６０のレンズ位置を変更することで、スクリーンＳＣに投射する画像の拡大や縮小、焦点の調整等を行う。
【００２３】
投射部１１３には、投射部駆動回路１２３が接続される。投射部駆動回路１２３は、内部バス１８０に接続される。投射部駆動回路１２３は、本発明の駆動回路に相当する。
投射部駆動回路１２３は、モーター駆動部１２３１Ａ、１２３１Ｂ（図５参照）を備え、制御部２５０の制御に従って投射レンズ３６０のレンズ位置を変更し、ズームやフォーカスの調整を行う。
【００２４】
プロジェクター１００は、検出部１２４を備える。検出部１２４は、本発明の判定部に相当する。検出部１２４は、投射部駆動回路１２３に接続され、投射部１１３が備える投射レンズユニット３００の種類を検出する。
投射レンズユニット３００は、投射レンズユニット３００の種類を示す種類情報を記録するＩＣ等の記録部３５０（図５参照）を備える。種類情報は、投射レンズユニット３００の種類を示す型番を用いてもよいし、投射部１１３に装着可能な投射レンズユニット３００に対応付けて設定された識別情報であってもよい。また、種類情報は、投射レンズユニット３００が備える機能に対応して設定された情報であってもよい。本実施形態では、種類情報として、投射部１１３に装着可能な投射レンズユニット３００に対応付けて設定されたＩＤ番号を用いるものとする。なお、投射レンズユニット３００が備える機能については後述する。
検出部１２４は、投射レンズユニット３００が投射部１１３に接続されると、記録部３５０からＩＤ番号を取得し、取得したＩＤ番号を、投射部駆動回路１２３を介して制御部２５０に送信する。
【００２５】
プロジェクター１００の本体には、ユーザーが操作を行うための各種スイッチや、インジケーターランプ、プロジェクター１００の状態を表示するＬＥＤ１３１３（図３参照）等を備えた操作パネル１３１が搭載される。
操作パネル１３１は、操作検出部１３３に接続される。操作検出部１３３は、制御部２５０の制御に従い、プロジェクター１００の動作状態や設定状態に応じて操作パネル１３１のインジケーターランプを適宜点灯又は点滅させる。操作パネル１３１のスイッチが操作されると、操作されたスイッチに対応した操作信号が操作検出部１３３から制御部２５０に出力される。操作パネル１３１及び操作検出部１３３は、本発明の操作受付部に相当する。
【００２６】
プロジェクター１００は、ユーザーが使用するリモコン５を有する。リモコン５は各種のボタンを備え、これらのボタンの操作に対応して赤外線信号を送信する。プロジェクター１００の本体には、リモコン５が発する赤外線信号を受光するリモコン受光部１３２が搭載される。リモコン受光部１３２は、リモコン５から受光した赤外線信号を操作検出部１３３に出力する。操作検出部１３３は、リモコン受光部１３２から入力される赤外線信号をデコードして、リモコン５における操作内容を示す操作信号を生成し、制御部２５０に出力する。リモコン５、リモコン受光部１３２及び操作検出部１３３は、本発明の操作受付部に相当する。
【００２７】
プロジェクター１００は、表示部１３５及び表示パネル１３７を備える。
表示部１３５は、制御部２５０の制御に従い、表示パネル１３７に表示すべき画像の画像データをバッファー（図示略）に展開し、展開した画像データに基づき各種の駆動回路（図示略）を駆動して、画像データに基づく画像を表示パネル１３７に表示させる。表示パネル１３７には、例えば、透過型、反射型又は半透過型の液晶表示パネル、ＯＬＥＤ（Organic Light-emitting-diode）、ＯＥＬ（Organic Electro-Luminescence）等の有機ＥＬ表示パネル等を用いることができる。
【００２８】
プロジェクター１００は、電源部１４０を備える。
電源部１４０は、商用電源から入力される交流電圧を整流、平滑化して直流電圧に変換し、変換された直流電圧をトランス１４１（図３参照）、スイッチング素子（図示略）等により電力変換してプロジェクター１００の各部に供給する。
また、電源部１４０は、インターロックスイッチ１４３（以下、スイッチをＳＷとも表記する）を備える。インターロックＳＷ１４３は、一次巻線Ｎ１と二次巻線Ｎ２とを有するトランス１４１の一次巻線Ｎ１（図３参照）側に設けられる。インターロックＳＷ１４３は、図３に示す強制オフ回路１２６から強制オフ信号が入力されると、オフする。インターロックＳＷ１４３がオフすることで、トランス１４１への直流電圧の供給がオフされる。
【００２９】
プロジェクター１００は、無線通信部２１４を備える。無線通信部２１４は、内部バス１８０に接続される。無線通信部２１４は、図示しないアンテナやＲＦ（Radio Frequency）回路等を備え、制御部２５０の制御の下、外部の装置との間で無線通信を実行する。無線通信部２１４の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００３０】
プロジェクター１００は、冷却ファン１５０を備える。冷却ファン１５０は、制御部２５０の制御に従って、光源部１１１に冷却空気を送風して光源部１１１及びプロジェクター１００内部の構成部品を冷却する。
なお、図１において、冷却ファン１５０と制御部２５０とを接続する制御信号線の図示は省略する。
【００３１】
プロジェクター１００の画像処理系は、プロジェクター１００を制御する制御部２５０を中心に構成され、この他に、画像処理部２０３、フレームメモリー２０５、記憶部２０７を備える。制御部２５０、画像処理部２０３及び記憶部２０７は、内部バス１８０に接続される。
【００３２】
画像処理部２０３は、制御部２５０の制御に従って、Ｉ／Ｆ部２０１から入力される画像データの属性を判定する。例えば、画像処理部２０３は、画像データに対し、画像サイズや解像度の判定、２Ｄ（平面）画像か３Ｄ（立体）画像かの判定、静止画像か動画像かの判定、フレームレートの判定等を行う。画像処理部２０３は、画像データをフレーム毎にフレームメモリー２０５に書き込み、書き込んだ画像に対して画像処理を実行する。
【００３３】
画像処理部２０３が実行する画像処理には、例えば、解像度変換（スケーリング）処理、フレームレート変換処理、形状補正処理、ズーム処理、色調補正処理、輝度補正処理、ガンマ補正処理等が含まれる。また、これらのうち複数の処理を組み合わせて実行することも勿論可能である。
【００３４】
解像度変換処理は、画像処理部２０３が、画像データの解像度を、制御部２５０により指定された解像度、例えば光変調装置１１２の液晶パネルの表示解像度に合わせて変換する処理である。
フレームレート変換処理は、画像処理部２０３が、画像データのフレームレートを、制御部２５０により指定されたフレームレートに変換する処理である。
形状補正処理は、画像処理部２０３が、制御部２５０から入力される補正パラメーターに従って画像データを変換して、スクリーンＳＣに投射する画像の形状を補正する処理である。
ズーム処理は、リモコン５や操作パネル１３１の操作によりズームが指示された場合に、画像処理部２０３が、画像を拡大／縮小する処理である。
色調補正処理は、画像データの色調を変換する処理であり、画像処理部２０３は、制御部２５０により指定された色調に合わせて画像データに含まれる各画素のデータを変更する。この処理において、プロジェクター１００は、映画鑑賞に適した色調、スクリーンＳＣが明るい環境に設置された場合に適した色調、黒板などの非白色のスクリーンＳＣに投射する場合に適した色調等を実現できる。色調補正処理に加え、コントラスト調整等を行ってもよい。
輝度補正処理は、画像処理部２０３が、画像データの輝度を補正する処理である。輝度補正処理により、画像データの輝度が、光源部１１１の発光状態やプロジェクター１００が設置された環境の明るさ等に対応した輝度に補正される。
ガンマ補正処理とは、外部から供給される画像データを、光変調装置１１２等の出力デバイスの出力特性に応じて補正する処理のことである。一般に、出力デバイスは非線形的な出力特性を有しているから、画像データに比例する出力レベル（例えば、駆動電圧信号や駆動電流信号電流レベル）で画像を出力しても、所望の色調では画像は出力されない。出力デバイスの出力特性に合わせて画像データを補正することにより、所望の色調で画像を出力することができる。
画像処理部２０３が実行する上記の処理の内容、パラメーター、及び処理の開始、終了のタイミングは制御部２５０により制御される。
画像処理部２０３は、処理後の画像データをフレームメモリー２０５から読み出し、Ｒ，Ｇ，Ｂの３原色に分離して光変調装置駆動回路１２２に出力する。
【００３５】
記憶部２０７は、フラッシュＲＯＭ、ＥＥＰＲＯＭ（Electrically Erasable Programmable Read-Only Memory）等の不揮発性のメモリーにより構成される。記憶部２０７は、制御部２５０が処理するデータや、制御部２５０が実行する制御プログラムを不揮発的に記憶する。また、記憶部２０７は、レンズ種類登録テーブル２０８を記憶する。
【００３６】
図２は、レンズ種類登録テーブル２０８の構成を示す図である。
レンズ種類登録テーブル２０８は、投射部１１３に装着可能な投射レンズユニット３００を識別するＩＤ番号と、ＩＤ番号が示す投射レンズユニット３００が備える機能とを対応付けて登録したテーブルである。投射レンズユニット３００が備える機能には、例えば、ズーム機能、フォーカス機能、レンズシフト機能、歪曲収差の補正機能、光量調整機能、温度制御機能等が含まれる。
ズーム機能とは、投射レンズ３６０の備えるズームレンズを移動させて焦点距離を変化させ、投射対象に投射される画像の表示倍率を変化させる機能である。
フォーカス機能とは、投射レンズ３６０が備えるフォーカスレンズを移動させて投射対象に投射される画像の焦点を調整する機能である。
レンズシフト機能とは、投射レンズ３６０を、当該投射レンズ３６０の光軸に直交する方向にシフトさせることで、プロジェクター１００の全体を動かすことなく、投射対象上での画像の投射位置をシフトさせる機能である。
歪曲収差とは、投射レンズ３６０の光軸中心から離れた位置を通過する光ほど強く屈折されるために投射される画像の周辺で画像が歪曲する収差である。歪曲収差の補正機能では、例えば、非球面レンズ等の補正レンズ（図示略）を投射レンズ３６０に挿入し、画像の歪曲を補正する機能である。
光量調整機能とは、絞り等の遮光部材（図示略）を駆動して、光変調装置１１２により変調された画像光を通過させる光量を制御する機能である。
温度制御機能とは、例えば、温度センサー（図示略）等により測定された温度に基づき、投射レンズ３６０の焦点距離を変更する制御である。投射レンズ３６０の焦点距離は、温度の変化によって変化が生じる。このため、投射レンズ３６０の近傍の温度を温度センサー等により測定し、測定した温度に基づいて投射レンズ３６０の焦点距離を変更する制御である。温度テーブルは、測定された温度に基づく焦点距離の調整に用いる補正パラメーターを記憶したテーブルである。
【００３７】
制御部２５０は、ＣＰＵ（Central Processing Unit）、ＲＯＭ（Read Only Memory）及びＲＡＭ（Random Access Memory）等のハードウェア（いずれも図示略）を備え、プロジェクター１００の各部を統括制御する。ＲＯＭは、不揮発性の記憶装置であり、制御プログラムやデータを格納する。ＲＡＭは、ＣＰＵのワークエリアを構成する。ＣＰＵは、ＲＯＭや記憶部２０７から読み出した制御プログラムをＲＡＭに展開し、展開された制御プログラムを実行してプロジェクター１００の各部を制御する。
【００３８】
また、制御部２５０は、機能ブロックとして、投射制御部２５１、表示制御部２５２及び電源制御部２５３を備える。これらの機能ブロックは、ＣＰＵが、ＲＯＭや記憶部２０７に記憶された制御プログラムを実行することで実現される。電源制御部２５３は、本発明の判定部及び制御部に相当する。
【００３９】
投射制御部２５１は、スクリーンＳＣへの画像の投射を制御する。例えば、投射制御部２５１は、画像処理部２０３を制御して、Ｉ／Ｆ部２０１を介して画像供給装置５００から供給された画像データに基づいてフレームメモリー２０５に画像を描画させる。また、投射制御部２５１は、光変調装置駆動回路１２２を制御して、フレームメモリー２０５に描画された画像を光変調装置１１２の液晶パネルに描画させる。また、投射制御部２５１は、投射部駆動回路１２３を制御して投射レンズ３６０のレンズ位置を変更し、スクリーンＳＣに投射する画像の拡大や縮小、焦点の調整等を行う。
【００４０】
表示制御部２５２は、表示パネル１３７における表示を制御する。表示制御部２５２は、表示パネル１３７に表示させる画像データを生成して表示部１３５に出力する。表示部１３５は、表示制御部２５２から入力される画像データをバッファーに展開し、展開した画像データに基づき各種の駆動回路（図示略）を駆動して、画像データに基づく画像を表示パネル１３７に表示させる。
【００４１】
電源制御部２５３は、後述する電源制御回路２１５を制御して、プロジェクター１００を構成する各部への電源供給を制御する。
また、電源制御部２５３は、投射部１１３に投射レンズユニット３００が装着されると、検出部１２４に、投射レンズユニット３００のＩＤ番号を取得させる。電源制御部２５３は、検出部１２４が取得したＩＤ番号を入力し、入力したＩＤ番号に基づきレンズ種類登録テーブル２０８を参照して、装着された投射レンズユニット３００によりプロジェクター１００が実行可能な制御動作を判定する。そして、電源制御部２５３は、投射部駆動回路１２３への電源供給を制御し、プロジェクター１００が実行可能な制御動作以外の少なくとも一部の制御動作が実行されないように、投射部駆動回路１２３への電源供給を部分的に停止する。この処理の詳細については、図５を参照しながら説明する。
制御動作とは、プロジェクター１００が、装着された投射レンズユニット３００に搭載された機能を制御して実行する動作である。投射レンズユニット３００に搭載される機能には、上述のようにズーム機能や、フォーカス機能、レンズシフト機能、歪曲収差の補正機能、光量調整機能、温度制御機能等が含まれる。プロジェクター１００に装着される投射レンズユニット３００の種類によって、プロジェクター１００が実行可能な制御動作は異なる。
【００４２】
また、電源制御部２５３は、リモコン５又は操作パネル１３１に設けられた電源オフＳＷが押下された場合、又は後述する第２ＳＷ１２７から入力される信号の電圧レベルが変化した場合に、シャットダウン処理を行って、プロジェクター１００の電源をオフさせる。
シャットダウン処理は、以下の手順で行われる。まず、電源制御部２５３は、実行中の処理があれば、この実行中の処理を終了させる。また、電源制御部２５３は、ＲＡＭ等の揮発性のメモリーに記憶されているデータを記憶部２０７に記憶させる。そして、最後に、電源制御部２５３は、電源部１４０を制御して、電源部１４０の電源供給をオフし、プロジェクター１００の電源をオフにする。
また、電源制御部２５３は、強制オフ回路１２６（図３参照）から強制オフ信号が入力されると、冷却ファン１５０を停止させ、投射部駆動回路１２３を制御して、投射部１１３が備えるモーターを停止させる。
【００４３】
また、電源制御部２５３は、電源制御回路２１５（図４参照）を制御して、プロジェクター１００の電源供給モードを制御する。
プロジェクター１００の備える電源供給モードには、例えば、オペレーションモードや、スタンバイモードが含まれる。オペレーションモードは、プロジェクター１００を構成する予め定められた構成要素に通電を行うモードであり、スタンバイモードは、オペレーションモードよりも少ない構成要素に電力を供給し、オペレーションモードよりも電力消費量の抑制を図るモードである。
電源供給モードの変更は、ユーザーの操作を、操作パネル１３１又はリモコン５により受け付けた場合に行ってもよいし、電源制御部２５３が、プロジェクター１００のステータスに応じて変更してもよい。
【００４４】
図３は、プロジェクター１００のハードウェア構成を示す図である。
プロジェクター１００は、第１ＳＷ１２５及び第２ＳＷ１２７を備える。第１ＳＷ１２５及び第２ＳＷ１２７は、投射レンズユニット３００の投射部１１３への装着状態を検出する。
第１ＳＷ１２５及び第２ＳＷ１２７は、例えば、固定接点及び可動接点を有する機械式スイッチ（メカスイッチ）により構成される。第１ＳＷ１２５及び第２ＳＷ１２７は、スイッチの状態として、可動接点が固定接点に接触したオンの状態と、可動接点と固定接点との間が開放されたオフの状態とをとる。
例えば、第１ＳＷ１２５及び第２ＳＷ１２７は、投射部１１３に投射レンズユニット３００が装着された状態ではオンとなり、投射部１１３に投射レンズユニット３００が装着されていない状態ではオフとなる。
【００４５】
第１ＳＷ１２５の出力は、強制オフ回路１２６に接続される。第１ＳＷ１２５は、スイッチ状態が変化すると、強制オフ回路１２６に出力する信号の電圧レベルを変更する。例えば、第１ＳＷ１２５は、スイッチ状態がオンからオフに変化すると、信号の電圧レベルをハイからローに変化させ、スイッチ状態がオフからオンに変化すると、信号の電圧レベルをローからハイに変化させる。
第２ＳＷ１２７は、制御部２５０に接続される。第２ＳＷ１２７は、スイッチ状態が変化すると、制御部２５０に出力する信号の電圧レベルを変更する。第２ＳＷ１２７は、スイッチ状態がオンからオフに変化すると、信号の電圧レベルをハイからローに変化させ、スイッチ状態がオフからオンに変化すると、信号の電圧レベルをローからハイに変化させる。
【００４６】
第１ＳＷ１２５及び第２ＳＷ１２７の他の構成として、スイッチ状態がオンからオフに変化した場合に所定の信号を出力し、オフからオンに変化した場合には、信号の出力は行わないようにしてもよい。
また、本実施形態では、第１ＳＷ１２５及び第２ＳＷ１２７に、機械式スイッチを用いた場合を例に説明するが、第１ＳＷ１２５及び第２ＳＷ１２７は、機械式スイッチに限定されない。第１ＳＷ１２５及び第２ＳＷ１２７として、例えば、ホールスイッチやマイクロスイッチ等を用いることもできる。
【００４７】
強制オフ回路１２６は、第１ＳＷ１２５から入力される信号の電圧レベルの変化を検出して、光源駆動回路１２１、電源部１４０及び制御部２５０に強制オフ信号を出力する。強制オフ回路１２６は、例えば、第１ＳＷ１２５から入力される信号の電圧レベルがハイレベルからローレベルに変化すると、光源駆動回路１２１、電源部１４０及び制御部２５０に強制オフ信号を出力する。
強制オフ信号を入力した光源駆動回路１２１は、光源部１１１への電源の供給を停止し、光源部１１１の光源を消灯させる。
また、制御部２５０の電源制御部２５３は、強制オフ回路１２６から強制オフ信号が入力されると、図４に示す電源制御回路２１５を制御して、冷却ファン１５０への電源供給を停止させ、冷却ファン１５０をオフする。
さらに、電源部１４０のインターロックＳＷ１４３は、強制オフ回路１２６から強制オフ信号が入力されると、オンからオフに状態を変化させる。インターロックＳＷ１４３がオフされることで、トランス１４１への直流電圧の供給がオフされる。これにより、電源部１４０からの直流電圧の出力が停止し、プロジェクター１００を構成する各部への電源供給が停止される。
【００４８】
操作パネル１３１に設けられる操作キーには、プロジェクター制御キー（ＰＪ制御キーと表記する）１３１１と、ステータスモニターキー１３１２とが含まれる。
ＰＪ制御キー１３１１には、例えば、電源のオン、オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元）を切り替えるための「入力ソース切替キー」等がある。
ステータスモニターキー１３１２は、プロジェクター１００のステータス（状況）を表示パネル１３７に表示させるキーである。
また、操作パネル１３１には、ＬＥＤ１３１３が設けられる。ＬＥＤ１３１３は、制御部２５０の制御により、プロジェクター１００の電源供給モードに応じて点灯、点滅又は消灯する。
【００４９】
電源部１４０がメイン回路２００に電源を供給する電源線１４７には、電圧変化検出部１４５が設けられている。電圧変化検出部１４５は、電源線１４７の電圧を検出する。インターロックＳＷ１４３がオフされ、トランス１４１への直流電圧の供給がオフされると、電源線１４７の電圧が低下する。電圧変化検出部１４５は、電源線１４７の電圧の検出結果を、図４に示すステータスモニターＣＰＵ２１３に出力する。ステータスモニターＣＰＵ２１３は、電圧変化検出部１４５の検出結果を示す画像データを生成して表示部１３５に出力し、表示パネル１３７に表示させる。
【００５０】
図４は、メイン回路２００の構成を示すブロック図である。
メイン回路２００には、メインＣＰＵ２１１、投射レンズ駆動ＣＰＵ２１２、ステータスモニターＣＰＵ２１３、無線通信部２１４、電源制御回路２１５、ＤＳＰ（digital signal processor）２１６、フラッシュＲＯＭ２１７、ＤＲＡＭ２１８等が搭載されている。
【００５１】
メインＣＰＵ２１１、投射レンズ駆動ＣＰＵ２１２及びステータスモニターＣＰＵ２１３は、図１に示す制御部２５０として機能する。
メインＣＰＵ２１１は、プロジェクター１００の全体を統括制御する。メインＣＰＵ２１１は、フラッシュＲＯＭ２１７に記憶された制御プログラムを実行して、図１に示す投射制御部２５１及び電源制御部２５３として動作する。
【００５２】
投射レンズ駆動ＣＰＵ２１２は、投射部駆動回路１２３を制御して、投射レンズユニット３００に対する制御動作を実行する。
例えば、投射レンズユニット３００がズーム機能を備える場合、投射レンズ駆動ＣＰＵ２１２は、投射レンズユニット３００が備えるズームレンズを移動させて焦点距離を変化させる。また、投射レンズユニット３００がフォーカス機能を備える場合、投射レンズ駆動ＣＰＵ２１２は、投射レンズユニット３００が備えるフォーカスレンズを移動させて、投射対象に投射される画像の焦点調整を行う。
【００５３】
また、レンズシフト機能を備える場合、投射レンズ駆動ＣＰＵ２１２は、投射レンズ３６０を、投射レンズ３６０の光軸に直交する方向にシフトさせ、投射対象上での画像の投射位置をシフトさせる。
また、投射レンズユニット３００が歪曲収差の補正機能を備える場合、投射レンズ駆動ＣＰＵ２１２は、投射レンズユニット３００が備える歪曲補正レンズを移動させて、画像の歪曲を補正する。
【００５４】
また、投射レンズユニット３００が光量調整機能を備える場合、投射レンズ駆動ＣＰＵ２１２は、遮光部材を駆動させ、光変調装置１１２により変調された画像光を通過させる光量を制御する。
また、投射レンズユニット３００が温度制御機能を備える場合、投射レンズ駆動ＣＰＵ２１２は、温度センサー等により測定された投射レンズ３６０の近傍の温度に基づき、フォーカスを移動させ、投射される画像の焦点調整を行う。
投射レンズ駆動ＣＰＵ２１２は、フラッシュＲＯＭ２１７に記憶された制御プログラムを実行し、図１に示す投射制御部２５１として動作する。
【００５５】
ステータスモニターＣＰＵ２１３は、ステータスモニターキー１３１２が操作され、操作に対応した操作信号が操作検出部１３３から入力されると、メインＣＰＵ２１１に、ステータス要求コマンドを送信してプロジェクター１００のステータス情報を取得する。ステータスモニターＣＰＵ２１３は、取得したステータス情報を表示部１３５に出力して、表示パネル１３７に表示させる。
ステータスモニターＣＰＵ２１３は、フラッシュＲＯＭ２１７に記憶された制御プログラムを実行し、図１に示す表示制御部２５２として動作する。
【００５６】
電源制御回路２１５は、制御部２５０（電源制御部２５３）の制御に従って、プロジェクター１００の各部に電源を供給する。電源制御回路２１５は、電源部１４０により生成された電源電圧から内部ロジック回路用電源を生成し、メイン回路２００の各部に供給する。また、電源制御回路２１５は、電源部１４０により生成された電源電圧を、メイン回路２００を除くプロジェクター１００の各部に供給する。
【００５７】
ＤＳＰ２１６は、図１に示す画像処理部２０３として機能する。フラッシュＲＯＭ２１７は、図１に示す記憶部２０７として機能する。ＤＲＡＭ２１８は、図１に示すフレームメモリー２０５として機能する。
【００５８】
図５は、投射部駆動回路１２３及び投射部１１３の構成を示すブロック図である。
投射部駆動回路１２３は、複数の駆動部１２３０を備える。
図５には、駆動部１２３０として、駆動部１２３０Ａ、１２３０Ｂの２つを示すが、駆動部１２３０の数は、２つに限定されない。投射部駆動回路１２３には、投射部１１３に装着可能な投射レンズユニット３００が備えるすべての機能に対応した駆動部１２３０が搭載されている。例えば、図２のレンズ種類登録テーブル２０８には、投射レンズユニット３００が備える機能として、ズーム機能、フォーカス機能、レンズシフト機能、歪曲収差の補正機能、光量調整機能、温度制御機能を示す。このため、本実施形態の投射部駆動回路１２３は、これらの機能に対応した駆動部１２３０がそれぞれに搭載される。また、投射部駆動回路１２３の駆動部１２３０は、投射レンズユニット３００が備える１機能に対応して、１つ設けられる。
【００５９】
投射部駆動回路１２３の各駆動部１２３０Ａ、１２３０Ｂは、電源制御回路２１５にそれぞれ接続され、電源制御回路２１５から供給される駆動電流と、制御部２５０から入力される駆動信号とによって動作する。また、各駆動部１２３０Ａ、１２３０Ｂは、電源制御回路２１５から供給される駆動電流を、対応する投射レンズユニット３００の第１機能部３１０、第２機能部３２０に供給して、各機能部３１０、３２０の第１モーター３１２、第２モーター３２２を駆動する。
電源制御部２５３は、検出部１２４が取得したＩＤ番号に基づき、装着された投射レンズユニット３００の種類を判定し、プロジェクター１００が実行可能な制御動作を判定する。そして、電源制御部２５３は、電源制御回路２１５を制御して、投射部駆動回路１２３の各駆動部１２３０Ａ、１２３０Ｂへの電源供給を制御する。
例えば、投射部１１３に装着された投射レンズユニット３００が、光量調整機能を有していないユニットであったとし、図５に示す駆動部１２３０Ａが、投射レンズユニット３００の光量調整機能部を動作させる駆動部であるとする。この場合、電源制御部２５３は、電源制御回路２１５を制御して、駆動部１２３０Ａへの電源供給を停止する。これにより、制御部２５０が動作制御を行わない駆動部１２３０への電源供給が停止され、消費電力を削減することができる。
【００６０】
次に、各駆動部１２３０の構成について説明する。なお、各駆動部１２３０は、ほぼ同様の構成を備えているため、以下では、駆動部１２３０Ａの構成について説明する。
駆動部１２３０Ａは、モーター駆動部１２３１Ａと、ＥＳＤ（Electro-Static Discharge）素子１２３２Ａとを備える。
モーター駆動部１２３１Ａは、制御部２５０の制御に従い、投射レンズユニット３００の対応する（電気的に接続された）モーターを駆動する。
ＥＳＤ素子１２３２Ａは、モーター駆動部１２３１Ａと、第１コネクター２７１とを接続する配線に接続される。ＥＳＤ素子１２３２Ａは、静電気を吸収して、モーター駆動部１２３１Ａや、投射レンズユニット３００のモーターを静電気から保護する。
【００６１】
投射部駆動回路１２３と、投射レンズユニット３００とは、接続部２７０、３７０をそれぞれに備え、それぞれの接続部２７０、３７０を接続することで、電気的に接続される。接続部２７０は、本発明の第１接続部に相当し、接続部３７０は、本発明の第２接続部に相当する。
投射部駆動回路１２３の接続部２７０は、第１コネクター２７１と、第２コネクター２７２とを備える。投射レンズユニット３００の接続部３７０は、第３コネクター３７１を備える。第１コネクター２７１及び第２コネクター２７２は、本発明の第１コネクターに相当する。第３コネクター３７１は、本発明の第２コネクターに相当する。
【００６２】
投射部駆動回路１２３の接続部２７０には、投射部１１３に装着させるすべての投射レンズユニット３００が有するコネクターに対応させるため、複数のコネクターを設けている。本実施形態の接続部２７０は、第１コネクター２７１と、第２コネクター２７２とを備える。第１コネクター２７１と、第２コネクター２７２とは、ピン数等のコネクターの形状や、接続部２７０における位置が異なる。図６に、投射レンズユニット３００を接続する投射部駆動回路１２３の接続部２７０を示す。第１コネクター２７１と、第２コネクター２７２との形状を異なる形状とし、第１コネクター２７１と、第２コネクター２７２とを接続部２７０において異なる位置に配置することで、第１コネクター２７１に対応したコネクターを有する投射レンズユニット３００が第２コネクター２７２に接続されたり、第２コネクター２７２に対応したコネクターを有する投射レンズユニット３００が第１コネクター２７１に接続されたりしないようにすることができる。
投射レンズユニット３００の接続部３７０は、第１コネクター２７１と接続可能なコネクターと、第２コネクター２７２に接続可能なコネクターとのいずれか一方を備える。図５に示す投射レンズユニット３００の接続部３７０には、接続部２７０の第２コネクター２７２と接続可能な第３コネクター３７１を示す。
【００６３】
実施形態では、投射部駆動回路１２３の第１コネクター２７１に接続されるコネクターを備える投射レンズユニット３００は、記録部３５０を備え、検出部１２４が記録部３５０からＩＤ番号を取得可能な投射レンズユニット３００であるとする。また、第２コネクター２７２に接続されるコネクター（第３コネクター３７１）を備える投射レンズユニット３００は、記録部３５０を備えておらず、検出部１２４が記録部３５０からＩＤ番号を取得することができない投射レンズユニット３００であるとする。
【００６４】
図７は、コネクターの形状を示す図である。特に、図７には、接続部２７０に設けた第２コネクター２７２と、接続部３７０に設けた第３コネクター３７１との形状を示す。
第２コネクター２７２及び第３コネクター３７１は、それぞれ接地接点２７３、３７３と、信号接点２７４、３７４とを有する。第２コネクター２７２と、第３コネクター３７１との接続の際には、接地接点２７３、３７３が、信号接点２７４、３７４よりも先に接続して導通する構造が好ましい。
【００６５】
図５に戻り、投射レンズユニット３００側の構成について説明する。
投射レンズユニット３００は、機能部と、記録部３５０と、投射レンズ３６０とを備える。
投射レンズユニット３００が備える機能部は、投射レンズユニット３００の種類によって異なる。例えば、図２に示すＩＤ「３」の投射レンズユニット３００の場合、ズーム機能、フォーカス機能、レンズシフト機能、歪曲収差の補正機能を備える。このため、ＩＤ「３」の投射レンズユニット３００は、機能部として、ズーム機能部、フォーカス機能部、レンズシフト機能部、歪曲収差の補正機能部を備える。
図５には、機能部として、第１機能部３１０と、第２機能部３２０とが搭載された投射レンズユニット３００を示す。第１機能部３１０及び第２機能部３２０は、上述のズーム機能、フォーカス機能、レンズシフト機能、歪曲収差の補正機能、光量調整機能、温度制御機能のいずれかに対応する。
【００６６】
第１機能部３１０及び第２機能部３２０の構成について説明する。なお、第１機能部３１０及び第２機能部３２０は、ほぼ同一の構成を備えるため、以下では、第１機能部３１０の構成について説明する。
第１機能部３１０は、第１動作部３１１と、第１モーター３１２とを備える。接続部２７０の第２コネクター２７２と、接続部３７０の第３コネクター３７１とが接続されると、駆動部１２３０Ａが第１機能部３１０に接続され、駆動部１２３０Ｂが第２動作部３２０に接続される。第１モーター３１２は、駆動部１２３０Ａから供給される駆動電流によって駆動される。
【００６７】
第１動作部３１１は、第１モーター３１２の駆動によって動作する。例えば、第１動作部３１１が、ズーム機能に対応したズーム機能部である場合、第１動作部３１１は、ズームレンズに相当し、第１モーター３１２は、ズームレンズを駆動させるモーターに相当する。また、第１動作部３１１が、フォーカス機能部である場合、第１動作部３１１は、フォーカスレンズに相当し、第１モーター３１２は、フォーカスレンズを駆動させるモーターに相当する。また、第１動作部３１１が、歪曲収差の補正機能部である場合、第１動作部３１１は、補正レンズに相当し、第１モーター３１２は、補正レンズを駆動させるモーターに相当する。また、第１動作部３１１が、光量調整機能部である場合、第１動作部３１１は、絞り等の遮光部材に相当し、第１モーター３１２は、遮光部材を駆動させるモーターに相当する。また、第１動作部３１１が、温度制御の機能部である場合、第１動作部３１１は、フォーカスレンズに相当し、第１モーター３１２は、フォーカスレンズを駆動させるモーターに相当する。
【００６８】
図８は、プロジェクター１００の動作を示すフローチャートである。以下では、プロジェクター１００の電源がオンされ、制御部２５０が起動した起動時に行う動作を説明するが、プロジェクター１００の電源がオンされた場合には限定されない。例えば、プロジェクター１００の電源供給モードが、スタンバイモードからオペレーションモードに変更された際に実行してもよい。
電源制御部２５３は、起動すると、まず、第２ＳＷ１２７から入力される信号の電圧レベルに基づき、投射レンズユニット３００が投射部１１３に装着されているか否かを判定する（ステップＳ１）。投射レンズユニット３００が投射部１１３に装着されていないと判定した場合（ステップＳ１／ＮＯ）、電源制御部２５３は、この処理フローを終了し、シャットダウン処理を実行してもよい。
【００６９】
また、電源制御部２５３は、投射レンズユニット３００が投射部１１３に装着されていると判定すると（ステップＳ１／ＹＥＳ）、投射レンズユニット３００を接続したコネクターは、第１コネクター２７１であるか否かを判定する（ステップＳ２）。例えば、電源制御部２５３は、第１コネクター２７１に設けられた所定のピンからの信号入力があるか否かによって第１コネクター２７１に投射レンズユニット３００が接続されたか否かを判定する。
【００７０】
ステップＳ２の判定が否定判定の場合、電源制御部２５３は、表示制御部２５２を制御して、接続された投射レンズユニット３００のＩＤ番号の入力を促すメッセージを表示パネル１３７に表示させる（ステップＳ５）。そして、電源制御部２５３は、操作検出部１３３からＩＤ番号を示す操作信号が入力されたか否かを判定する（ステップＳ６）。操作検出部１３３は、ユーザーによる操作パネル１３１又はリモコン５の操作を受け付けて、受け付けた操作に対応した操作信号を制御部２５０に出力する。ステップＳ６の判定が否定判定の場合、電源制御部２５３は、操作信号の入力があるまで待機する。また、ステップＳ６の判定が肯定判定の場合、電源制御部２５３は、ステップＳ７の処理に移行する。
【００７１】
また、ステップＳ２の判定が肯定判定の場合、電源制御部２５３は、検出部１２４に、ＩＤ番号の取得を要求する（ステップＳ３）。検出部１２４は、電源制御部２５３からの要求により、投射レンズユニット３００の記録部３５０からＩＤ番号を取得し、取得したＩＤ番号を制御部２５０に出力する。
電源制御部２５３は、検出部１２４からＩＤ番号を取得できない場合（ステップＳ４／ＮＯ）、再度、検出部１２４に、ＩＤ番号の取得を要求して待機する。また、電源制御部２５３は、検出部１２４からＩＤを取得した場合（ステップＳ４／ＹＥＳ）、記憶部２０７のレンズ種類登録テーブル２０８を参照して、取得したＩＤ番号に対応付けられた機能を取得する。電源制御部２５３は、取得した機能により、投射部１１３に装着された投射レンズユニット３００に搭載されていない機能を判定する。
電源制御部２５３は、装着された投射レンズユニット３００に搭載されていない機能を駆動する駆動部１２３０への電源供給をオフするように電源制御回路２１５に通知する（ステップＳ７）。電源制御回路２１５は、通知された駆動部１２３０への電源供給をオフする。これにより、制御部２５０が動作制御を行わない駆動部１２３０への電源供給が停止され、消費電力を削減することができる。
【００７２】
上述したフローチャートの他の動作として、ステップＳ２において、投射レンズユニット３００が接続されたコネクターが、第１コネクター２７１であるか否かの判定は行わず、検出部１２４によりＩＤ番号が読み取れるか否かを判定してもよい。すなわち、第１コネクター２７１又は第２コネクター２７２のいずれかに投射レンズユニット３００が接続された場合に、検出部１２４によりＩＤ番号が読み取れるか否かを判定してもよい。検出部１２４によりＩＤ番号が検出された場合には、第１コネクター２７１に投射レンズユニット３００が接続されたと判定し、ＩＤ番号が検出できない場合、第２コネクター２７２に投射レンズユニット３００が接続されたと判定する。
【００７３】
以上説明したように本発明のプロジェクター及びプロジェクターの制御方法を適用した実施形態は、検出部１２４と電源制御部２５３とを備える。
検出部１２４は、投射部１１３に接続された投射レンズユニット３００の種類を示すＩＤ番号を取得して電源制御部２５３に出力する。電源制御部２５３は、取得したＩＤ番号に基づいて投射レンズユニット３００の種類を判定する。電源制御部２５３は、プロジェクター１００が実行可能な制御動作のうち、判定された投射レンズユニット３００の種類に対応付けて記憶部２０７に記憶された制御動作以外の制御動作を停止状態に設定する。従って、投射部１１３に接続された投射レンズユニット３００の種類に対応した制御動作を実行することができる。このため、無駄な制御動作が実行されないようにして、消費電力を削減することもできる。
【００７４】
また、プロジェクター１００は、複数の駆動部１２３０Ａ、１２３０Ｂを有する投射部駆動回路１２３を備える。電源制御部２５３は、判定された投射レンズユニット３００に対応付けて記憶部２０７に記憶された制御動作以外の制御動作に対応する駆動部１２３０Ａ、１２３０Ｂへの電源供給を停止させる。従って、プロジェクター１００の消費電力を削減することができる。
【００７５】
また、投射レンズユニット３００は、プロジェクター１００の制御により動作する機能部３１０、３２０を備える。投射部１１３は、投射レンズユニット３００の動作部３１１、３２１に駆動部１２３０Ａ、１２３０Ｂを接続する接続部２７０を備える。
投射部駆動回路１２３は、接続部２７０を介して投射レンズユニット３００の動作部３１１、３２１に駆動信号又は駆動電流の少なくともいずれか一方を供給する。従って、投射部駆動回路１２３は、接続部２７０を介して投射レンズユニット３００の動作部３１１、３２１に駆動信号又は駆動電流を供給し、動作部３１１、３２１を動作させることができる。
【００７６】
また、投射レンズユニット３００は、接続部２７０に接続する接続部３７０を備える。接続部２７０は、接地接点と信号接点とを備えるコネクター２７１、２７２を備える。接続部３７０は、接地接点と信号接点とを備えるコネクター３７１を備える。コネクター２７１又は２７２と、コネクター３７１とが接続される場合に、接地接点が信号接点よりも先に導通される。従って、静電気やノイズ等の影響を受けにくいコネクターの構造とすることができる。
【００７７】
また、接続部２７０は、複数のコネクター２７１、２７２を備える。
電源制御部２５３は、複数のコネクター２７１、２７２のいずれかに投射レンズユニット３００が接続された場合に、投射レンズユニット３００の種類を判定する。従って、複数のコネクター２７１、２７２のいずれに投射レンズユニット３００が接続されても、投射レンズユニット３００の種類を判定する動作を行うことができる。
【００７８】
また、操作を受け付ける操作パネル１３１又はリモコン５を備え、電源制御部２５３は、投射レンズユニット３００の種類が判定できない場合に、操作パネル１３１又はリモコン５により、投射レンズユニット３００の種類の情報の入力を受け付ける。従って、投射レンズユニット３００の種類が判定できない場合に、操作パネル１３１又はリモコン５により、投射レンズユニットの種類の情報を受け付けることができる。
【００７９】
また、投射レンズユニット３００は、投射レンズユニット３００の種類を示すＩＤ番号を記録する記録部３５０を備える。電源制御部２５３は、記録部３５０が記録するＩＤ番号を読み出して、投射レンズユニット３００の種類を判定する。従って、簡易な構成で、投射レンズユニットの種類を判定することができる。
【００８０】
上述した実施形態は、本発明の好適な実施の形態である。ただし、これに限定されるものではなく、本発明の要旨を逸脱しない範囲内において種々の変形実施が可能である。
例えば、上述した実施形態では、光源が発した光を変調する光変調装置１１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。また、光変調装置１１２として、ＬＣＯＳ（Liquid crystal on silicon,  LCoSは登録商標）等の反射型の液晶表示素子を用いてもよい。
【００８１】
また、上述した実施形態では、プロジェクター１００として、スクリーンＳＣの前方から投射するフロントプロジェクション型のプロジェクター１００を示したが、本発明はこれに限定されない。
また、図１、３及び５に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００８２】
５…リモコン、１００…プロジェクター、１１１…光源部、１１２…光変調装置、１１３…投射部、１２１…光源駆動回路、１２２…光変調装置駆動回路、１２３…投射部駆動回路、１２４…検出部、１２６…強制オフ回路、１３１…操作パネル、１３２…リモコン受光部、１３３…操作検出部、１４０…電源部、１８０…内部バス、２００…メイン回路、２０１…Ｉ／Ｆ部、２０３…画像処理部、２０５…フレームメモリー、２０７…記憶部、２０８…レンズ種類登録テーブル、２１４…無線通信部、２１５…電源制御回路、２１６…ＤＳＰ、２５０…制御部、２５１…投射制御部、２５２…表示制御部、２５３…電源制御部、２７０、３７０…接続部、２７１…第１コネクター、２７２…第２コネクター、２７３…接地接点、２７４…信号接点、３００…投射レンズユニット、３１０…第１機能部、３１１…第１動作部、３１２…第１モーター、３２０…第２機能部、３２１…第２動作部、３２２…第２モーター、３５０…記録部、３６０…投射レンズ、３７１…第３コネクター、３７３…接地接点、３７４…信号接点、５００…画像供給装置、１２３０、１２３０Ａ、１２３０Ｂ…駆動部、１２３１Ａ、１２３１Ｂ…モーター駆動部、１２３２Ａ、１２３２Ｂ…ＥＳＤ素子、２１１…メインＣＰＵ、２１２…投射レンズ駆動ＣＰＵ、２１３…ステータスモニターＣＰＵ。
【図１】
2017181538.tif 000003
【図２】
2017181538.tif 000004
【図３】
2017181538.tif 000005
【図４】
2017181538.tif 000006
【図５】
2017181538.tif 000007
【図６】
2017181538.tif 000008
【図７】
2017181538.tif 000009
【図８】
2017181538.tif 000010